(57)【特許請求の範囲】
【請求項１】
物体の近接を感知するために磁場を生成するためのセンサー用センサーコアであって、
材料シートの幅及び長さよりも小さい厚さを有する高比透磁率の材料シートを含み、
前記材料シートの幅にわたって延び、第１長さを有する頭部と、
前記頭部の第１の縁から第２長さだけ延びる第１及び第２脚部であって、その各々が前記頭部の幅の一部にわたって延びる第１及び第２脚部と、
前記第１及び第２脚部からそれぞれ第３長さだけ延びる第１及び第２足部であって、それぞれの脚部と同じ幅を有する第１及び第２足部と
を含み、
前記材料シートは、前記第１及び第２足部がそれぞれの第１及び第２脚部に対して概ね垂直に延びかつ前記第１及び第２足部が互いに同じ方向に延びるように、前記第１及び第２足部とそれぞれの第１及び第２脚部の各々の間に第１の屈曲を含む、センサーコア。
【請求項２】
それぞれの第１の屈曲とそれぞれの第１及び第２脚部の各々の間に第２の屈曲を含み、それぞれの第１及び第２脚部がそれぞれの第１及び第２足部の上にそれぞれの第１及び第２足部に対して概ね垂直に延びるように、前記第１の屈曲は鋭角であり、前記第２の屈曲は鈍角である、請求項１に記載のセンサーコア。
【請求項３】
前記第１の屈曲はそれぞれの第１又は第２脚部の幅よりも狭い幅を有し、前記第１の屈曲は第４長さを有する、請求項１に記載のセンサーコア。
【請求項４】
前記第１の屈曲は、前記第１及び第２足部の切り欠き部分から形成され、前記第１の屈曲は、それぞれの第１及び第２脚部がそれぞれの第１及び第２足部の上にそれぞれの第１及び第２足部に対して概ね垂直に延びるように前記第１及び第２足部から延びる、請求項３に記載のセンサーコア。
【請求項５】
前記第１及び第２足部の切り欠きは、前記第１及び第２足部の各々における２つの端部の間に隙間を画定する、請求項３又は４に記載のセンサーコア。
【請求項６】
前記第１の屈曲の各々及び／又は前記第１及び第２脚部の各々の下部は、電流を流すと磁場を生成するようにその周りに巻き付けられたそれぞれのコイルを支えるように適合されている、請求項１から５のいずれか一項に記載のセンサーコア。
【請求項７】
前記脚部の幅は、前記第２長さの少なくとも一部に沿って狭くなっている、請求項１から６のいずれか一項に記載のセンサーコア。
【請求項８】
前記材料シートは、前記頭部がそれぞれの第１及び第２脚部に対して概ね垂直な軸に沿って延びるように、前記第１及び第２脚部と前記頭部の各々の間に第３の屈曲を含む、請求項１から７のいずれか一項に記載のセンサーコア。
【請求項９】
前記頭部は、前記足部の一方又は両方の少なくとも一部に対して概ね平行に前記足部の一方又は両方の少なくとも一部の上に延びる、請求項８に記載のセンサーコア。
【請求項１０】
それぞれの第３の屈曲とそれぞれの第１及び第２脚部の各々の間に第４の屈曲を含み、それぞれの第１及び第２脚部が前記頭部の下に前記頭部に対して概ね垂直に延びるように前記第３の屈曲は鋭角であり、前記第４の屈曲は鈍角である、請求項８又は９に記載のセンサーコア。
【請求項１１】
前記頭部は、コイル巻型又はボビンを受け入れるための１つ以上の開口部を含む、請求項８から１０のいずれか一項に記載のセンサーコア。
【請求項１２】
物体の近接を感知するためのセンサーであって、
平坦な矩形センサー面と、側壁と、蓋とを有するケースと、
請求項１から１１のいずれか一項に記載の、物体の近接を感知するために磁場を生成するためのセンサーコアであって、前記ケースの内部に配置されたセンサーコアと
を含み、
前記センサーコアの第１及び第２足部は、前記平坦な矩形センサー面の内側面に隣接し、前記矩形センサー面の短い方の寸法にわたって延びるように配置される、センサー。
【請求項１３】
それぞれの第１の屈曲及び／又はそれぞれの第１及び第２脚部の下部に巻き付けられた第１及び第２の複数のコイルを含む、請求項１２に記載のセンサー。
【請求項１４】
前記矩形センサー面を除く前記ケースの１つ以上の側面を遮蔽するように配置された導電性シールドを含む、請求項１２又は１３に記載のセンサー。
【請求項１５】
前記センサーが近接センサーである、請求項１２から１４のいずれか一項に記載のセンサー。
【発明の詳細な説明】
【技術分野】
【０００１】
本発明は、センサー用センサーコア及びセンサーに関する。特に、本発明は、物体の近接を感知するために磁場を生成するための近接センサー用センサーコアと、このようなセンサーコアを組み込んだセンサーとに関する。
【背景技術】
【０００２】
近接センサーは、物体、例えば金属物体又は鉄物体の存在を検出するために使用される装置である。近接センサーには、多くの原理、例えば、可変リラクタンス、渦電流損失、飽和コア、及びホール効果が使用されている。
【０００３】
例えば、飽和コアセンサーは、特定の磁束密度の磁場にさらされると磁気的に飽和する材料から作られたコアを含む。磁性物体がコアアセンブリに向かって移動するとき、物体の磁場が最小リラクタンス経路であるコアを見つける距離に達する。その結果、磁場の磁束がコアに入り、距離が減少するにつれて磁束密度が増加し、最終的にコアを飽和させる。コアの飽和により、コイルのインピーダンスが低下する。コイルのインピーダンスの変化を測定することによって、磁性物体の存在を検出することができる。
【０００４】
図１及び図２は、例示的な従来の近接センサーを示し、図３は、図１及び図２の近接センサーに使用されるコアの例を示す。図１から図３について説明する。
【０００５】
近接センサー１００は、物体に面する前方センサー面１０４と、前方センサー面１０４から直角に延びる４つの側壁１０６とを有するハウジングを含む。側壁１０６及び前方センサー面１０４は、ハウジング１０２内に中空内部領域を形成する。検出領域２００は、物体に面する前方センサー面１０４から概ね半球形状に外に広がる。
【０００６】
この従来技術の例では、ハウジング１０２は、対向する側壁１０６から外側に延びる２つのフランジ１０８を含む。フランジ１０８は、近接センサー１００を支持部材（図示せず）に取り付けることを可能にするために開口１１０を有する。ハウジング１０２は、かなり低い導電率を有する非磁性材料から作られることができる。内部電気部品への外部接続を可能にするために外部コネクター１４０が設けられる。
【０００７】
ハウジング１０２内にコア１２０が配置され、物体を感知するのに必要な磁場を生成するために使用される。コア１２０は、好ましくは、軟鉄、鋳鉄、変圧器用鋼、又は他の同様の材料などの高透磁率材料から構成される。材料は、好ましくは、比較的高い透磁率（例えば、１０，０００を超える）を有する。図１から図３に示す従来技術の近接センサーでは、コア１２０は、頭部２２０と、２つの脚部２２２と、２つの足部２２４とを有する形状を形成するように４つの位置で曲げられた実質的に平坦な矩形部材を含む。頭部２２０は、２つの脚部２２２に対して垂直であり、２つの脚部は、２つの足部２２４に対して垂直である。２つの足部２２４は、互いに対して平行であり且つ同一平面上にあり、それぞれの脚部から反対に延びる。
【０００８】
コア１２０と組み合わせて磁場を生成するために電流が流されるコイルアセンブリ１１８（脚部と足部ごとに１つのコイルアセンブリ）が設けられている。
【発明の概要】
【発明が解決しようとする課題】
【０００９】
しかしながら、我々は、改善された感度及び他の望ましい特性を有する代替的なコア設計及び代替的な近接センサーの必要性を認識している。
【課題を解決するための手段】
【００１０】
したがって、本発明は、物体の近接を感知するために磁場を生成するためのセンサー用センサーコアであって、材料シートの幅及び長さよりも小さい厚さを有する高比透磁率の材料シートを含み、材料シートの幅にわたって延び、第１長さを有する頭部と、頭部の第１の縁から第２長さだけ延びる第１及び第２脚部であって、その各々が頭部の幅の一部にわたって延びる第１及び第２脚部と、前記第１及び第２脚部からそれぞれ第３長さだけ延びる第１及び第２足部であって、それぞれの脚部と同じ幅を有する第１及び第２足部とを含み、材料シートは、第１及び第２足部がそれぞれの第１及び第２脚部に対して概ね垂直に延びるように、第１及び第２足部とそれぞれの第１及び第２脚部の各々の間に第１の屈曲を含むセンサーコアを提供する。
【００１１】
脚部の各々を同じ縁から延ばすことによって、コンパクトなセンサーコアを提供することができる。
【００１２】
第１及び第２足部は、互いに対して概ね平行に且つ互いから１８０°離れるように延びることができる。
【００１３】
センサーコアはまた、それぞれの第１の屈曲とそれぞれの第１及び第２脚部の各々の間に第２の屈曲を含むことができ、それぞれの第１及び第２脚部がそれぞれの第１及び第２足部の上にそれぞれの第１及び第２足部に対して概ね垂直に延びるように、第１の屈曲は鋭角であり、第２の屈曲は鈍角である。このような設計は、コンパクトなコア設計をもたらす。
【００１４】
第１の屈曲は、それぞれの第１又は第２脚部の幅よりも狭い幅を有することができ、第１の屈曲は第４長さを有する。第１の屈曲は、それぞれの第１及び第２足部の切り欠き部分から形成されることができる。この設計では、第１の屈曲は、それぞれの第１及び第２脚部がそれぞれの第１及び第２足部の上にそれぞれの第１及び第２足部に対して概ね垂直に延びるように、第１及び第２足部から延びている。
【００１５】
第１及び第２脚部の切り欠きは、第１の屈曲を提供することができ、第１及び第２足部の各々における２つの端部の間に隙間を画定する。
【００１６】
第１の屈曲の各々及び／又は第１及び第２脚部の各々の下部は、電流を流すと磁場を生成するようにその周りに巻き付けられたそれぞれのコイルを支えるように適合されている。
【００１７】
脚部の幅は、第２長さの少なくとも一部に沿って狭くなっている。これは、その周りに巻き付けられたコイルを支えるための領域を提供することができる。
【００１８】
材料シートは、頭部がそれぞれの第１及び第２脚部に対して概ね垂直な軸に沿って延びるように、第１及び第２脚部と頭部の各々の間に第３の屈曲を含むことができる。これにより、コンパクトなコア設計がもたらされ得る。
【００１９】
頭部は、足部の一方又は両方の少なくとも一部に対して概ね平行に足部の一方又は両方の少なくとも一部の上に延びることができる。
【００２０】
センサーコアは、それぞれの第３の屈曲とそれぞれの第１及び第２脚部の各々の間に第４の屈曲を含むことができ、それぞれの第１及び第２脚部が頭部の下に頭部に対して概ね垂直に延びるように、第３の屈曲は鋭角であり、第４の屈曲は鈍角である。
【００２１】
頭部は、コイル巻型又はボビンを受け入れるための１つ以上の開口を含むことができる。
【００２２】
本発明はまた、物体の近接を感知するためのセンサーであって、平坦な矩形センサー面と、側壁と、蓋とを有するケースと、ケースの内部に配置された上記センサーコアとを含み、近接センサーコアの第１及び第２脚部は、平坦な矩形センサー面の内側面に隣接し、矩形センサー面の短い方の寸法にわたって延びるように配置されるセンサーを提供する。
【００２３】
センサーは、それぞれの第１の屈曲及び／又はそれぞれの第１及び第２脚部の下部の周りに巻き付けられた第１及び第２の複数のコイルを含むことができる。
【００２４】
センサーはまた、矩形センサー面を除くケースの１つ以上の側面を遮蔽するように配置された導電性シールドを含むことができる。このようなシールドがあれば、センサー面以外の方向からセンサーに近づく他の物体（例えば、金属物体）に対する近接センサーの感度を低下させることができる。
【００２５】
上記センサーは、近接センサーであることができる。
【図面の簡単な説明】
【００２６】
本発明を、単なる例示として、添付の図面を参照して説明する。
【図１】従来技術の近接センサーを示す。
【図２】図１の従来技術の近接センサーを断面図で示す図である。
【図３】図１の従来技術の近接センサーのコアを示す。
【図４ａ】本発明による第１近接コア設計を示す。
【図４ｂ】本発明による第１近接コア設計を示す。
【図４ｃ】本発明による第１近接コア設計を示す。
【図５】足部の異なる構成を有する図４ａの第１近接コア設計を示す。
【図６】本発明による第２近接コア設計を示す。
【図７】足部の異なる構成を有する図６の第２近接コア設計を示す。
【図８ａ】頭部の異なる構成を有する図６の第２近接コア設計を示す。
【図８ｂ】頭部の異なる構成を有する図６の第２近接コア設計を示す。
【図９ａ】足部の異なる構成を有する図８の第２近接コア設計を示す。
【図９ｂ】足部の異なる構成を有する図８の第２近接コア設計を示す。
【図９ｃ】足部の異なる構成を有する図８の第２近接コア設計を示す。
【図１０】本発明による第３近接コア設計を示す。
【図１１】足部の異なる構成を有する図１０の第３近接コア設計を示す。
【図１２ａ】頭部の異なる構成を有する図１０の第３近接コア設計を示す。
【図１２ｂ】頭部の異なる構成を有する図１０の第３近接コア設計を示す。
【図１３ａ】足部の異なる構成を有する図１２の第３近接コア設計を示す。
【図１３ｂ】足部の異なる構成を有する図１２の第３近接コア設計を示す。
【図１３ｃ】足部の異なる構成を有する図１２の第３近接コア設計を示す。
【図１４】シールドを有する近接センサーを示す。
【図１５】図１４の近接センサーを部分断面図で示す。
【発明を実施するための形態】
【００２７】
手短に、近接センサー用のいくつかの代替的なコアについて説明する。基本的な設計は、材料シートの幅及び長さよりも小さい厚さを有する高透磁率の材料シートから作られたコアを含む。材料シートは、材料シートが材料シートの幅にわたって延びる頭部を有し且つ頭部が第１長さを有するように、切断又は成形される。第１及び第２脚部は、頭部の同じ縁から第２長さだけ延びる。第１及び第２脚部の各々は、頭部の幅の一部にわたって延びる（頭部及び脚部は、逆さまの「Ｕ」形状を有すると説明されることができる）。また、第１及び第２足部は、それぞれの第１及び第２脚部から第３長さだけ延びる。第１及び第２足部は、それぞれの脚部と同じ幅を有する。基本的な設計では、材料シートは、第１及び第２足部がそれぞれの第１及び第２脚部に対して概ね垂直に延びるように、第１及び第２足部とそれぞれの第１及び第２脚部の各々の間に第１の屈曲を含む。代替的な設計は、頭部の位置、又は第１の屈曲の足部に対する相対的な位置に変化を有する。
【００２８】
図４ａは、本発明による第１近接コア設計を示す。コア（３００）は、好ましくは、高い比透磁率を有する材料の単一シートから作られ、好ましい形状を形成するように切断され且つ／又は折り曲げられ又は折り畳まれる。コアを形成するのに使用することができる１つの例示的な材料は、当技術分野において、ＨｙＭｕ“８０”（登録商標）（カーペンタースチール社製）と呼ばれ、極めて高い初透磁率と最小のヒステリシス損失での最大の透磁率を提供する、無方向性８０％ニッケル鉄モリブデン合金である。他の適切な材料はパーマロイを含む。
【００２９】
材料シートは、厚さ、幅及び長さを有する。厚さは、好ましくは、約０．０２０インチ（０．５１ｍｍ）であり、シートの幅及び長さよりも小さい。
【００３０】
コア（３００）は、頭部（３２０）と、２つの脚部（３２２）と、脚部（３２２）の各々から延びる足部（３２４）とを含む。頭部（３２０）は、材料シートの幅にわたって延び、第１長さを有する。脚部（３２２）の各々は、頭部（３２０）の同じ縁から第２長さだけ延び、第１及び第２脚部（３２２）の各々は、頭部（３２０）の幅の一部にわたって延びる。脚部の各々が頭部（３２０）の幅の一部に延びるので、脚部（３２２）の間に隙間が見られる。
【００３１】
第１及び第２足部（３２４）の各々は、それぞれの第１及び第２脚部（３２２）から第３長さだけ延びる。足部（３２４）は、それぞれの脚部（３２２）と同じ幅を有する。
【００３２】
脚部（３２２）と足部（３２４）の各々の間に第１の屈曲（３２６）が設けられている。このため、それぞれの第１及び第２足部（３２４）は、それぞれの第１及び第２脚部（３２２）から概ね垂直に延びる。
【００３３】
近接センサー装置に（例えば、図１及び図２に示す装置に）挿入されると、足部は、ｚ軸方向においてセンサー面（１０４）の少なくとも一部に沿って延びる。好ましくは、足部（３２４）は、センサー面（１０４）の（ｚ軸方向における）実質的な長さに沿って延びる。
【００３４】
磁場を生成するために、それぞれの第１及び第２脚部（３２２）の各々に第１及び第２コイル（図示せず）が巻き付けられる。これは、コイルがコアの脚部（３２２）に直接巻き付けられることによって提供されることができる。或いは、コイルは、脚部（３２２）が貫通する型又はキャリアに予め巻き付けられている（例えば、図２の従来技術の装置に設けられたコイルを参照）。好ましくは、コイルは、装置の感度に影響を及ぼす可能性がある頭部（３２０）との磁束結合を最小にするために、脚部（３２２）の下部に（足部（３２４）に向かって）配置される。
【００３５】
図４ａのコアの設計に関する制限は、コイルを巻くことができ且つコア及びコイルが装置のケーシングの内側に接触しないようにコア及びコイルを近接センサー装置内に配置することができるように、脚部（３２２）の後ろに十分な隙間を残さなければならないことである。コイルを収容するために、足部（３２４）は、センサー面（１０４）の（ｚ軸方向における）実質的な長さに広がる代わりに、センサー面（１０４）の（ｚ軸方向における）一部に広がるように短くすることができる。足部（３２４）を短くすることにより、脚部は、コイルをその周りに巻き付けることができるように装置ケーシングから離れるように配置される。
【００３６】
図４ｂ及び図４ｃは、図４ａのコアの代替例を示す。図４ｂに示すコアでは、コアは、頭部（３２０）と脚部（３２２）との間に第３の屈曲（３３０）を含む。この構成では、頭部（３２０）は、（頭部（３２０）の下に延びる）それぞれの脚部（３２２）に対して概ね垂直な軸に沿って、足部（３２４）の一方又は両方の少なくとも一部に対して概ね平行に足部（３２４）の一方又は両方の少なくとも一部の上に延びる。
【００３７】
このような構成では、コアはｙ軸方向が短い近接センサー装置のパッケージに取り付けることができる（図１参照）。或いは、脚部（３２２）に対して頭部（３２０）が曲がっていない他の設計に対して長い脚部（３２２）を可能にし、頭部（３２０）の方向の磁束鎖交を減少させるのに役立つことができる。この方向の磁束鎖交は、近接センサーの感度を低下させる可能性がある。
【００３８】
図４ｃに示すコアは、図４ｂのコアと実質的に同様であるが、頭部（３２０）は、コイル巻型又はボビンを受け入れるための１つ以上の開口部（３４０）を含み、コイル巻型又はボビンは、足部（３２４）に載るように、脚部（３２２）の長さに部分的に沿って又は脚部（３２２）の全体に沿って開口部（３４０）を通って延びる。
【００３９】
図５は、図４ａのコアの代替例を示す。図５に示すコアでは、頭部（３２０）及び脚部（３２２）は図４ａと同じである。しかしながら、図５では、第１及び第２足部（３２４）は、互いに対して平行な方向に、互いから約１８０°離れるように延びている。
【００４０】
このような実施形態では、足部（３２４）の各々の長さは、図４ａに示すコア設計の足部（３２４）の長さに比べて縮小される。しかしながら、足部がそれぞれ反対方向に延びるので、脚部（３２２）は、足部（３２４）の両端の間の中央で足部（３２４）から上向きに且つ概ね垂直に延びることが分かる。このため、図４ａに示す設計に比べて、脚部（３２２）の背後により大きな隙間があり、その周りには、コイルが装置ケーシングの内側に接触しないように脚部（３２２）に巻き付けられるためのより大きな空間がある。図５はまた、図４ｂ及び図４ｃに示したコア設計の特徴を組み込むことができ、すなわち、図５に示したコア設計の頭部は、脚部に対して概ね垂直に且つ足部に対して平行に曲げられることができ、頭部は、足部の一方の少なくとも一部の上に延びる。
【００４１】
図６は、図４ａ及び図５のコア設計に対して代替的なコア設計を示す。この設計では、頭部（３２０）及び（頭部（３２０）に隣接する）第１及び第２脚部（３２２）の上部は、図４ａ及び図５と実質的に同じである。しかしながら、図６では、脚部（３２２）と足部（３２４）との間の屈曲が異なっている。
【００４２】
図６のコア設計は、それぞれの足部（３２４）の一端に、鋭角に曲げられた第１の屈曲（３２６）を含む（すなわち、図４及び図５に示した第１の屈曲で９０°未満の角度が生じる）。この第１の屈曲（３２６）の後に、第１の屈曲（３２６）と脚部（３２２）との間の第２の屈曲（３３２）が続く。第２の屈曲（３３２）は、第２の屈曲から頭部（３２０）に向かって延びる脚部（３２２）が足部（３２４）から離れて垂直に延びるように鈍角になっている。したがって、第１の屈曲（３２６）と第２の屈曲（３３２）によって、脚部（３２２）は、足部（３２４）の上に足部（３２４）から離れるように垂直に延びる。したがって、この構成は、脚部（３２２）の後ろに隙間を設けて、近接装置ケース内に組み立てられたときに近接装置ケースに接触しないようにコイルを脚部（３２２）に巻き付けるための空間を提供する。
【００４３】
図７は、図６のコアの代替例を示す。図７に示すコアでは、頭部（３２０）及び脚部（３２２）は図６と同じである。しかしながら、図７では、第１及び第２足部（３２４）は、互いに対して平行な方向に、互いから約１８０°離れるように延びている。
【００４４】
図８ａ及び図８ｂは、図６のコアの代替例を示す。図８ａに示すコアでは、コアは、頭部（３２０）に隣接する第３の屈曲（３３０）と、第３の屈曲（３３０）と脚部（３２２）との間の第４の屈曲（３３４）とを含む。この構成では、第３の屈曲（３３０）は鋭角であり、第４の屈曲（３３４）は鈍角である。この構成では、頭部（３２０）は、（頭部（３２０）の下に延びる）それぞれの脚部（３２２）に対して概ね垂直な軸に沿って、足部（３２４）の一方又は両方の少なくとも一部に対して概ね平行に足部（３２４）の一方又は両方の少なくとも一部の上に延びる。
【００４５】
このような構成では、コアはｙ軸方向が短い近接センサー装置のパッケージに取り付けることができる（図１参照）。或いは、脚部（３２２）に対して頭部（３２０）が曲がっていない他の設計に対して長い脚部（３２２）を可能にし、頭部（３２０）の方向の磁束鎖交を減少させるのに役立つことができる。この方向の磁束鎖交は、近接センサーの感度を低下させる可能性がある。
【００４６】
図８ｂに示すコアは、図８ａのコアと実質的に同様であるが、頭部（３２０）は、コイル巻型又はボビンを受け入れるための１つ以上の開口部（３４０）を含み、コイル巻型又はボビンは、足部（３２４）に載るように、脚部（３２２）の長さに部分的に沿って又は脚部（３２２）の全体に沿って開口部（３４０）を通って延びる。
【００４７】
図８ａ及び図８ｂの構成の代替例は、頭部（３２０）と脚部（３２２）との間に第３の屈曲（３３０）のみを含み、第３の屈曲は、頭部（３２０）が脚部（３２２）に対して概ね垂直に且つ足部（３２４）に対して概ね平行に延びるようなものである。
【００４８】
図９ａ、図９ｂ及び図９ｃはそれぞれ、図８ａ及び図８ｂのコアの代替例を示す。図９ａに示すコアでは、頭部（３２０）及び脚部（３２２）は図８ａと同じである。しかしながら、図９ａでは、第１及び第２足部（３２４）は、互いに対して平行な方向に、互いから約１８０°離れるように延びている。図９ｂは、同じように図８ｂと異なっている。図９ｃは、コイル巻型又はボビンが足部（３２４）の平坦部分に載ることができるように脚部（３２２）の一方が頭部（３２０）の異なる縁から延びる点で、図９ｂの変形例である。
【００４９】
図１０は、代替的なコア設計を示す。図１０では、頭部（３２０）及び上部の脚部（３２２）は図４と同じである。しかしながら、図１０では、第１の屈曲（３２６）及び足部（３２４）は図４のものと異なっている。
【００５０】
図１０では、第１の屈曲（３２６）は、足部（３２４）の切り欠き部分から形成される。コアの製造中、足部（３２４）は、狭窄部（３４４）と２つの突起（３３２）とを形成するように打ち抜かれ又は切断される。狭窄部（３４４）は、脚部（３２２）が足部（３２４）の上に垂直に延びるように配置された第１の屈曲（３２６）を形成するために曲げられる。
【００５１】
製造中、足部（３２４）が第１の屈曲（３２６）を形成するために曲げられる前に、コイルを足部（３２４）及び脚部（３２２）にかぶせることができる。この過程で、第１の屈曲（３２６）を形成するために足部（３２４）を曲げるのに十分な隙間を確保するべく、コイルを頭部（３２０）に向かって押し上げることができる。
【００５２】
狭窄部（３４４）は、上記の設計のように脚部（３２２）が第１の屈曲（３２６）まで下方に延びる設計よりも隙間なくコイルを受け入れるような寸法にすることができる。
【００５３】
図１１は、図１０のコアの代替例を示す。図１１に示すコアでは、頭部（３２０）及び脚部（３２２）は図１０と同じである。しかしながら、図１１では、第１及び第２足部（３２４）は、互いに対して平行な方向に、互いから約１８０°離れるように延びている。
【００５４】
図１２ａ及び図１２ｂは、図１０のコアの代替例を示す。図１２ａに示すコアでは、コアは、頭部（３２０）に隣接する第３の屈曲（３３０）と、第３の屈曲（３３０）と脚部（３２２）との間の第４の屈曲（３３４）とを含む。この構成では、第３の屈曲（３３０）は鋭角であり、第４の屈曲（３３４）は鈍角である。この構成では、頭部（３２０）は、（頭部（３２０）の下に延びる）それぞれの脚部（３２２）に対して概ね垂直な軸に沿って、足部（３２４）の一方又は両方の少なくとも一部に対して概ね平行に足部（３２４）の一方又は両方の少なくとも一部の上に延びる。
【００５５】
このような構成では、コアはｙ軸方向が短い近接センサー装置のパッケージに取り付けることができる（図１参照）。或いは、脚部（３２２）に対して頭部（３２０）が曲がっていない他の設計に対して長い脚部（３２２）を可能にし、頭部（３２０）の方向の磁束鎖交を減少させるのに役立つことができる。この方向の磁束鎖交は、近接センサーの感度を低下させる可能性がある。
【００５６】
図１２ｂに示すコアは、図１２ａのコアと実質的に同様であるが、頭部（３２０）は、コイル巻型又はボビンを受け入れるための１つ以上の開口部（３４０）を含む。
【００５７】
図１２ａ及び１２ｂの構成の代替例は、頭部（３２０）と脚部（３２２）との間に第３の屈曲（３３０）のみを含み、第３の屈曲は、頭部（３２０）が脚部（３２２）に対して概ね垂直に且つ足部（３２４）に対して概ね平行に延びるようなものである。
【００５８】
図１３ａ、図１３ｂ及び図１３ｃはそれぞれ、図１２ａ及び図１２ｂのコアの代替例を示す。図１３ａに示すコアでは、頭部（３２０）及び脚部（３２２）は図１２ａと同じである。しかしながら、図１３ａでは、第１及び第２足部（３２４）は、互いに対して平行な方向に、互いから約１８０°離れるように延びている。図１３ｂは、同じように図１２ｂと異なっている。図１３ｃは、コイル巻型又はボビンが足部（３２４）の平坦部分に載ることができるように脚部（３２２）の一方が頭部（３２０）の異なる縁から延びる点で、図１３ｂの変形例である。
【００５９】
コア（３００）及びコイルを近接センサー装置のパッケージ（例えば、図１、図２、図１４又は図１５に示す矩形又は直方体パッケージ）内に据え付けるとき、センサー面（１０４）ではない側面に近いか又はこの側面から近接センサーに接近する金属物体の影響からコア（３００）を遮蔽するために、コア（３００）の一部の周りにシールド（４００）を設けることができる。シールド（４００）は、センサー面（１０４）を除く近接センサーの１つ以上の面の全体又は一部にわたって設けることができる。
【００６０】
コア（３００）と近接センサー装置のパッケージとの間にシールド（４００）がなければ、近接センサーは、コア（３００）からの磁束漏れを生じ得る金属物体の影響を受けやすくなり、感度が低下する。シールドは、導電性金属、例えばアルミニウムから形成されることができる。実際には、シールドは、コア（３００）によって生成された磁場において短絡巻線としての機能を果たす。
【００６１】
製造中、シールド（４００）は、「調整」されることができ、すなわち、近接センサー装置の性能が特定の用途に合わせて調整されるように特定の特性を有することができる。例えば、コア（３００）に対するシールドのサイズ、形状又は位置は、近接センサーの性能を特定の用途の所望の特性に合うように調整するために、製造中に設計及び調整されることができる。
【００６２】
上記の設計のいずれにおいても、以下の寸法の１つ以上が組み合わせで又は単独で適用され得る。
・比較的高透磁率の材料シートの厚さは、０．０２インチ（０．５１ｍｍ）であり得る
・折り目又は屈曲の半径は、１／１６インチ（１．５９ｍｍ）であり得る
・頭部の全幅は、１インチ（２５．４ｍｍ）であり得る
・脚部の間隔は、６／３２インチ（４．７６ｍｍ）であり得る
【００６３】
上記のコア設計のいずれにおいても、脚部の幅は、脚部の長さの全体又は一部に沿って足部の幅よりも狭いことができる。これは、コイルを脚部に巻き付けるための追加の空間を提供するためである。
【００６４】
恐らく、当業者には、他の多くの有効な代替案が思い浮かぶであろう。本発明は、記載された実施形態に限定されず、添付の特許請求の範囲内にある当業者に明らかな変更を包含することが理解されるであろう。
【図１】
0006686018.tif 000002
【図２】
0006686018.tif 000003
【図３】
0006686018.tif 000004
【図４ａ】
0006686018.tif 000005
【図４ｂ】
0006686018.tif 000006
【図４ｃ】
0006686018.tif 000007
【図５】
0006686018.tif 000008
【図６】
0006686018.tif 000009
【図７】
0006686018.tif 000010
【図８ａ】
0006686018.tif 000011
【図８ｂ】
0006686018.tif 000012
【図９ａ】
0006686018.tif 000013
【図９ｂ】
0006686018.tif 000014
【図９ｃ】
0006686018.tif 000015
【図１０】
0006686018.tif 000016
【図１１】
0006686018.tif 000017
【図１２ａ】
0006686018.tif 000018
【図１２ｂ】
0006686018.tif 000019
【図１３ａ】
0006686018.tif 000020
【図１３ｂ】
0006686018.tif 000021
【図１３ｃ】
0006686018.tif 000022
【図１４】
0006686018.tif 000023
【図１５】
0006686018.tif 000024